(57)【要約】【課題】デジタル放送及びアナログ放送の双方の受信が可能な「ラジオ受信装置」において、利用者にとってより好ましいシーク動作を可能にすることである。【解決手段】シーク動作を実行するラジオ受信装置であって、同一放送局からの同一番組のアナログ放送とデジタル放送との対応関係を記憶する記憶手段と、受信されるアナログ放送の番組の音声出力がなされている状態で、該アナログ放送と同一の放送局からの同一番組のデジタル放送があるか否かを記憶手段に記憶されたアナログ放送とデジタル放送との対応関係に基づいて判定する判定手段（Ｓ２２）と、該アナログ放送と同一の放送局からの同一番組のデジタル放送があると判定されたときに、前記アナログ放送の番組の同調周波数から開始されるシーク動作において同調周波数を前記所定の規則に係らず前記デジタル放送の番組の同調周波数に変化させるシーク動作制御手段（Ｓ２８）とを有する構成となる。【選択図】図５
2014086888.tif 000002
【特許請求の範囲】
【請求項１】
所定周波数帯域でのデジタル放送及びアナログ放送の受信が可能であって、同調周波数を所定の規則に従って順次変えて受信される放送番組を探すシーク動作を実行し、該シーク動作によって受信される放送番組の音声を出力するラジオ受信装置であって、
同一放送局からの同一番組のアナログ放送とデジタル放送との対応関係を記憶する記憶手段と、
受信されるアナログ放送の番組の音声出力がなされている状態で、該アナログ放送と同一の放送局からの同一番組のデジタル放送があるか否かを前記記憶手段に記憶された対応関係に基づいて判定する判定手段と、
該判定手段により、該アナログ放送と同一の放送局からの同一番組のデジタル放送があると判定されたときに、前記アナログ放送の番組の同調周波数から開始されるシーク動作において同調周波数を前記所定の規則に係らず前記デジタル放送の番組の同調周波数に変化させるシーク動作制御手段とを有するラジオ受信装置。
【請求項２】
前記記憶手段は、同一放送局からの同一番組のアナログ放送及びデジタル放送の両同調周波数を対応付けて記憶する請求項１に記載のラジオ受信装置。
【請求項３】
前記シーク動作により受信された前記デジタル放送の番組の音声出力がなされている状態で開始されるシーク動作において、前記所定の規則に従って同調周波数を前記アナログ
放送の同調周波数以降の周波数に変化させる復帰シーク動作制御手段を有する請求項１または２に記載のラジオ受信装置。
【請求項４】
前記アナログ放送の番組から当該アナログ放送と同一の放送局からの前記デジタル放送の同一番組へのシーク動作があったことを表わすジャンプシーク情報を記憶するジャンプシーク記憶手段を有し、
前記復帰シーク動作制御手段は、前記ジャンプシーク記憶手段に前記ジャンプシーク情報が記憶されているときに、受信されたデジタル放送の音声出力がなされている状態で開始されるシーク動作において、前記所定の規則に従って同調周波数を当該アナログ放送の同調周波数以降の周波数に変化させる請求項３に記載のラジオ受信装置。
【請求項５】
放送番組の音声出力をすることなく同調周波数を順次変えて得られる受信可能な放送番組の情報に基づいて、同一の放送局からの同一番組のアナログ放送とデジタル放送との対応関係を前記記憶手段に記憶させる手段を有する請求項１乃至４のいずれかに記載のラジオ受信装置。
【発明の詳細な説明】
【技術分野】
【０００１】
本発明は、所定周波数帯域でのデジタル放送及びアナログ放送の双方が受信可能であって、同調周波数を順次変えて受信される放送番組を探すシーク動作を行うラジオ受信装置に関する。
【背景技術】
【０００２】
従来、同調周波数を順次変えて受信される放送番組を探すシーク動作を行ない得るラジオ受信装置がある（例えば、特許文献１参照）。このようなラジオ受信装置では、利用者は、自身が特に同調操作（チューニング操作）を行わなくても、同調周波数が順次変えられて受信される放送番組の音声出力がなされるので、希望の放送番組をより速く探し出すことができる。
【先行技術文献】
【特許文献】
【０００３】
【特許文献１】特開平５−２７５９８０号公報
【発明の概要】
【発明が解決しようとする課題】
【０００４】
ところで、近年、ＤＲＭ（Digital Radio Mondiale）によるデジタル放送サービスが一部の国々で開始されている。このＤＲＭでは、短波帯域や中波帯域を利用してＡＭ変調によるデジタル放送がなされる。このように、ＤＲＭによるデジタル放送は、短波帯域や中波帯域を利用したＡＭ変調による放送であることから、同様に短波帯域や中波帯域を利用したＡＭ変調による従来のアナログ放送の設備をそのまま流用することができる。このため、今後、同じ放送局から同じ番組が、異なる周波数を利用して従来のアナログ放送とＤＲＭのデジタル放送とによって放送されることが考えられる。実際のＤＲＭにおいても、既存のアナログ放送の周波数に隣接して同じ番組（コンテンツ）のデジタル放送の周波数を配するＭＣＳ（Multi-Channel Simulcast）が規定されている。
【０００５】
短波帯域や中波帯域を利用してＡＭ変調されたアナログ放送及びデジタル放送の双方が受信可能なラジオ受信装置において、同じ放送局からの同じ番組のアナログ放送とデジタル放送とを異なる周波数によって受信されることを考慮して、利用者にとってより好ましいシーク動作が望まれている。
【０００６】
本発明は、このような事情に鑑みてなされたもので、デジタル放送及びアナログ放送の双方の受信が可能なラジオ受信装置において、利用者にとってより好ましいシーク動作を可能にするものである。
【課題を解決するための手段】
【０００７】
本発明のラジオ受信装置は、所定周波数帯域でのデジタル放送及びアナログ放送の受信が可能であって、同調周波数を所定の規則に従って順次変えて受信される放送番組を探すシーク動作を実行し、該シーク動作によって受信される放送番組の音声を出力するラジオ受信装置であって、同一放送局からの同一番組のアナログ放送とデジタル放送との対応関係を記憶する記憶手段と、受信されるアナログ放送の番組の音声出力がなされている状態で、該アナログ放送と同一の放送局からの同一番組のデジタル放送があるか否かを前記記憶手段に記憶された対応関係に基づいて判定する判定手段と、該判定手段により、該アナログ放送と同一の放送局からの同一番組のデジタル放送があると判定されたときに、前記アナログ放送の番組の同調周波数から開始されるシーク動作において同調周波数を前記所定の規則に係らず前記デジタル放送の番組の同調周波数に変化させるシーク動作制御手段とを有する構成となる。
【０００８】
このような構成により、受信されるアナログ放送の番組の音声出力がされている状態で、該アナログ放送と同一放送局からの同一番組のデジタル放送があるか否かを、記憶手段に記憶された同一の放送局からの同一番組のアナログ放送とデジタル放送との対応関係に基づいて判定し、アナログ放送と同一放送局からの同一番組のデジタル放送があると判定されたときに、アナログ放送の番組の同調周波数から開始されるシーク動作において同調周波数を所定の規則に係らずデジタル放送の番組の同調周波数に変化させることができるので、受信されているアナログ放送の番組と同一番組をより迅速にデジタル放送にて受信することが可能となる。
【０００９】
本発明のラジオ受信装置において、前記記憶手段は、同一放送局からの同一番組のアナログ放送及びデジタル放送の両同調周波数を対応付けて記憶する構成とすることができる。
【００１０】
このような構成によれば、記憶手段が同一放送局からの同一番組のアナログ放送及びデジタル放送の両同調周波数を対応付けて記憶するので、アナログ放送の番組と同一放送局からの同一番組のデジタル放送番組があるか否かの判断をより迅速に行うことが可能となる。
【００１１】
本発明のラジオ受信装置は、前記シーク動作により受信された前記デジタル放送の番組の音声出力がなされている状態で開始されるシーク動作において、前記所定の規則に従って同調周波数を前記アナログ放送の同調周波数以降の周波数に変化させる復帰シーク動作制御手段を有する構成とすることができる。
【００１２】
このような構成によれば、シーク動作により受信されたデジタル放送の番組の音声出力がなされている状態で開始されるシーク動作において、同調周波数をアナログ放送の同調周波数以降の同調周波数に変化させるので、アナログ放送の同調周波数をデジタル放送の同調周波数に変化させた後に、シーク動作がなされる場合であっても、同調周波数を変化させる前のアナログ放送の同調周波数以降の周波数を起点に所定の規則に従って順次放送局をシークすることが可能となる。
【００１３】
本発明のラジオ受信装置は、前記アナログ放送の番組から当該アナログ放送と同一の放送局からの前記デジタル放送の同一番組へのシーク動作があったことを表わすジャンプシーク情報を記憶するジャンプシーク記憶手段を有し、前記復帰シーク動作制御手段は、前記ジャンプシーク記憶手段に前記ジャンプシーク情報が記憶されているときに、受信されたデジタル放送の音声出力がなされている状態で開始されるシーク動作において、前記所定の規則に従って同調周波数を当該アナログ放送の同調周波数以降の周波数に変化させる構成とすることができる。
【００１４】
このような構成によれば、アナログ放送の番組から当該アナログ放送と同一の放送局からのデジタル放送の同一番組へのシーク動作があったことを表わすジャンプシーク情報が記憶されているときに、受信されたデジタル放送の音声出力がなされている状態で開始されるシーク動作において、所定の規則に従って同調周波数をアナログ放送の同調周波数以降の周波数に変化させるので、アナログ放送の同調周波数をデジタル放送の同調周波数に変化させた後に、シーク動作がなされる場合であっても、ジャンプシーク情報が記憶されているときにのみ、同調周波数を変化させる前のアナログ放送の同調周波数以降の周波数を起点に所定の規則に従って順次放送局をシークすることが可能となる。
【００１５】
本発明のラジオ受信装置は、放送番組の音声出力をすることなく同調周波数を順次変えて得られる受信可能な放送番組の情報に基づいて、同一の放送局からの同一番組のアナログ放送とデジタル放送との対応関係を前記記憶手段に記憶させる手段を有する構成とすることができる。
【００１６】
このような構成によれば、放送番組の音声出力をすることなく同調周波数を順次変えて得られる受信可能な放送番組の情報に基づいて、同一の放送局からの同一番組のアナログ放送とデジタル放送との対応関係を記憶させるので、受信されるアナログ放送の番組の音声出力がなされている状態で、より多くのアナログ放送の番組と同一番組をデジタル放送にて受信することが可能となる。
【発明の効果】
【００１７】
本発明のラジオ受信装置によれば、受信されるアナログ放送の番組の音声出力がされている状態で、該アナログ放送と同一放送局からの同一番組のデジタル放送があるか否かを、記憶手段に記憶された同一の放送局からの同一番組のアナログ放送とデジタル放送との対応関係に基づいて判定し、アナログ放送と同一放送局からの同一番組のデジタル放送があると判定されたときに、アナログ放送の番組の同調周波数から開始されるシーク動作において同調周波数を所定の規則に係らずデジタル放送の番組の同調周波数に変化させることから、受信されているアナログ放送の番組と同一番組をより迅速にデジタル放送にて受信することができるので、デジタル放送及びアナログ放送の双方の受信が可能なラジオ受信装置において、利用者にとってより好ましいシーク動作が可能となる。
【図面の簡単な説明】
【００１８】
【図１】本発明の実施の形態に係るラジオ受信装置の構成を示すブロック図である。
【図２】アナログ放送及びデジタル放送の放送周波数の一例を示す図である。
【図３】図１に示す制御ユニットのバックグラウンドでの放送局の放送番組の情報を取得する処理を示すフローチャートである。
【図４】図３に示すバックグラウンドでの放送局の放送番組の情報を取得する処理により取得した同一の放送局からの同一放送番組のアナログ放送の周波数とデジタル放送の周波数とを対応付けたテーブルを示す図である。
【図５】図１に示す制御ユニットの放送局のシーク動作制御処理を示すフローチャートである。
【発明を実施するための形態】
【００１９】
本発明の実施の形態について図面を用いて説明する。
【００２０】
本発明の実施の一形態に係るラジオ受信装置は図１に示すように構成される。このラジオ受信装置１００は、中波帯域でのＡＭ変調のアナログ放送の受信と、ＤＲＭによる同じ中波帯域のＡＭ変調のデジタル放送の受信とが可能である。前記アナログ放送とＤＲＭによるデジタル放送とは、例えば、図２に示す周波数にてなされているものと仮定する。
【００２１】
図２において、ＡＢＣ局から周波数ｆ１でアナログ放送Ａ１がなされている。この周波数ｆ１より高い周波数ｆ２でＤＥＦ局からデジタル放送Ｄ２がなされている。この周波数ｆ２より高い周波数ｆ３でＵＶＷ局からデジタル放送Ｄ３がなされている。さらに、この周波数ｆ３より高い周波数ｆ４でＤＥＦ局からアナログ放送Ａ２がなされている。この周波数ｆ４より高い周波数ｆ５でＸＹＺ局からアナログ放送Ａ３がなされている。そして、この周波数ｆ５より高い周波数ｆ６でＡＢＣ局からデジタル放送Ｄ１がなされている。この周波数ｆ６より高い周波数ｆ７でＧＨＩ局からデジタル放送Ｄ４がなされている。このようにＡＢＣ局では、アナログ放送Ａ１とデジタル放送Ｄ１とを放送しており、放送形式が異なるが、放送される番組は同一番組である。同じく、ＤＥＦ局では、アナログ放送Ａ２とデジタル放送Ｄ２との両放送にて同一番組を放送している。
【００２２】
これらの周波数の中では、周波数ｆ１が最も低い周波数であり、周波数ｆ２、周波数ｆ３、周波数ｆ４、周波数ｆ５、周波数ｆ６の順で周波数が高くなっており、周波数ｆ７が最も高い周波数となっている。例えば、アナログ放送Ａ１の周波数（ｆ＝ｆ１）に対して所定周波数間隔Δｆ（例えば９ｋＨｚ）だけ高い周波数は、周波数（ｆ＝ｆ１＋Δｆ）で表される。この所定周波数間隔Δｆは、常に一定であり、例えば、デジタル放送Ｄ２がなされる周波数ｆ２は、ｆ１＋２０Δｆとして表すこともできる。すなわち、これらのアナログ放送及びデジタル放送がなされる周波数は、基本となる周波数ｆ１に所定周波数間隔Δｆを複数乗じた数を加算した周波数となっている。
【００２３】
図１に戻って、ラジオ受信装置１００は、ＡＭチューナ１１、復調回路１２、デジタル放送処理ユニット１３、アナログ放送処理ユニット１４、出力回路１５及びスピーカ１６を有している。このラジオ受信装置１００は、更に、処理ユニット２０、操作ユニット２１、表示ユニット２２、放送情報抽出ユニット２３、及び記憶部２４を有している。
【００２４】
ＡＭチューナ１１が、中波帯域においてＡＭ変調された同調周波数の放送信号を受信し、その放送信号が復調回路１２で復調されて実質的な放送内容を表す受信信号が生成される。デジタル放送処理ユニット１３は、復調回路１２から出力されるデジタル放送についての受信信号を処理して音声信号を生成して出力する。アナログ放送処理ユニット１４は、復調回路１２から出力されるアナログ放送についての受信信号を処理して音声信号を生成して出力する。出力回路１５は、デジタル放送処理ユニット１３またはアナログ放送ユニット１４からの音声信号に対して増幅などの処理を施し、その処理された音声信号に従ってスピーカ１６を駆動する。それにより、スピーカ１６から前記音声信号に基づいた音が発せられる。
【００２５】
制御ユニット２０には、操作ユニット２１、表示ユニット２２、放送情報抽出ユニット２３及び記憶部２４が接続されている。制御ユニット２０は、操作ユニット２１での操作に従って種々の制御処理を実行する。ＡＭチューナ１１、デジタル放送処理ユニット１３及びアナログ放送処理ユニット１４に対する制御ユニット２０の制御により、アナログ放送及びデジタル放送の受信及び音声出力、また、後述するようなシーク動作がなされる。放送情報抽出ユニット２３は、制御ユニット２０の制御のもと、復調回路１２から出力される受信信号から放送局名及び番組名を含む放送番組についての所定事項を表す放送情報を抽出し、制御ユニット２０に提供する。これらの制御ユニット２０に提供された放送情報から抽出した放送局名、その放送がなされる周波数、及びその放送方式（デジタル放送又はアナログ放送のいずれかを示す情報）等が記憶部２４に記憶される。また、制御ユニット２０は、記憶部２４に記憶される放送局名及び放送情報などを表示ユニット２２に表示させる。
【００２６】
制御ユニット２０の制御のもと、図３に示す手順に従って放送番組の音声出力をすることなく同調周波数を順次変えて得られる受信可能な放送番組の情報に基づいて、同一の放送局からの同一番組のアナログ放送とデジタル放送との対応関係（アナログ放送及びデジタル放送の両同調周波数）を記憶部２４に記憶させる処理がなされる。この処理は、ラジオ受信装置１００のバックグラウンド処理としてなされ、この処理がなされているときに、受信した放送番組を音声出力することはない。
【００２７】
図３において、制御ユニット２０の制御のもと、ＡＭチューナ１１にて、例えば、周波数ｆ＝ｆ＋Δｆの放送局の検索がなされ（Ｓ１１）、当該同調周波数による放送番組の受信を確認する（Ｓ１２）。この検索により、例えば、アナログ放送Ａ１（図２参照）が受信されると、制御ユニット２０は、放送局名及び番組名含む情報である放送情報とその放送がなされる同調周波数及び当該放送番組がアナログ放送及びデジタル放送のいずれの放送種別であるのかを示す情報とを記憶部２４に記憶する（Ｓ１３）。そして、ステップＳ１３の処理がなされた後、もしくは、ステップＳ１２においてステップＳ１１の同調周波数による放送番組が受信できないと判定されたとき（Ｓ１２でＮＯ）に、制御ユニット２０は、全ての同調周波数による放送番組の検索受信処理が終了したか否かを判定する（Ｓ１４）。
【００２８】
これによって、全ての同調周波数による放送番組の検索受信処理が終了していないと判定されると（Ｓ１４でＮＯ）、制御ユニット２０は、ステップＳ１１の処理に戻る。このとき、例えば、前述したステップＳ１１において検索された同調周波数がｆ１であれば、次に検索すべき周波数は、ｆ＝ｆ１＋Δｆとなる。このように、シーク動作は、同調周波数（ｆ）に所定周波数Δｆを加えた周波数ごとにステップ的に検索するという所定の規則に基づいてなされる。このような所定の規則に基づいて、制御ユニット２０は、全ての同調周波数について前述したステップＳ１１〜Ｓ１４までの処理を繰り返す。そして、制御ユニット２０による全ての同調周波数の検索処理が終了すると（Ｓ１４でＹＥＳ）、制御ユニット２０は、アナログ／デジタル対応テーブルを作成し（Ｓ１５）、バックグラウンド処理を終了する。
【００２９】
このとき、図２に示す周波数においてアナログ放送及びデジタル放送がなされている場合において、記憶部２４に記憶されるアナログ／デジタル対応テーブルは、図４に示すようになる。
【００３０】
図４において、記憶部２４には、同一の放送局による同一番組を放送するアナログ放送の同調周波数（ｆａ）とデジタル放送の同調周波数（ｆｄ）とが対応付けられてテーブル形式にて記憶されている。例えば、ＡＢＣ放送局においては、アナログ放送Ａ１の同調周波数ｆ１とデジタル放送Ｄ１の同調周波数ｆ６とが対応付けられて記憶されている。また、ＤＦＥ局においては、アナログ放送Ａ２の同調周波数ｆ４とデジタル放送Ｄ２の同調周波数ｆ２とが対応付けられて記憶されている。このように、記憶部２４に記憶されるアナログ／デジタル対応テーブルには、同一の放送局による同一番組を放送するアナログ放送及びデジタル放送の同調周波数のみが対応付けられて記憶されるようになっている。なお、ステップＳ１３において取得した放送情報・アナログ放送／デジタル放送の全ての記憶するようにしているが、アナログ／デジタル対応テーブルを作成した後に、これらの記憶を全て削除するようにしてもよい。
【００３１】
以上のようなバックグラウンド処理によって、アナログ放送及びデジタル放送の両同調周波数が対応付けられて記憶部２４に記憶される。このような場合に、ラジオ受信機１００そのもののラジオ受信及びラジオ受信時のシーク動作は、図５に示すように実行される。以下に詳しく説明する。
【００３２】
図５において、当初、制御ユニット２０の制御（Ｓ２０）のもと、ＡＭチューナ１１にて、例えば、同調周波数（ｆ＝ｆ１）のアナログ放送Ａ１（図２参照）が受信され、復調回路１２及びアナログ放送処理ユニット１４での処理に従って、スピーカ１６からそのアナログ放送Ａ１の番組の音声出力がなされおり、また、放送情報抽出ユニット２３によって抽出される前記アナログ放送Ａ１についての放送情報が表示ユニット２２に表示される。そして、制御ユニット２０は、受信される放送番組がアナログ放送であるか否かを確認する（Ｓ２１）。例えば、同調周波数（ｆ＝ｆ１）であれば、制御ユニット２０は、受信される放送番組がアナログ放送Ａ１であると判定し（Ｓ２１でＹＥＳ）、アナログ放送Ａ１に対応するデジタル放送の同調周波数が記憶部２４に記憶されているか否かを判定する（Ｓ２２：判定手段）。具体的には、制御ユニット２０は、受信されるアナログ放送Ａ１の番組の音声出力がされている状態で、アナログ放送Ａ１の番組と同一放送局であるＡＢＣ放送局からの同一番組のデジタル放送があるか否かを、記憶部２４に対応付けられて記憶されるアナログ／デジタル対応テーブルから検索することによって判定する。
【００３３】
これによって、記憶部２４にＡＢＣ放送局によるアナログ放送Ａ１の同調周波数（ｆ＝１）に対応付けられた同一の番組を放送するデジタル放送Ｄ１の同調周波数（ｆ＝ｆ６）が記憶されていると判定されると（Ｓ２２でＹＥＳ）、制御ユニット２０は、ジャンピング・シークフラグをＯＮ状態にして（Ｓ２３：ジャンプシーク記憶手段）、シーク動作を記憶部２４に記憶されたデジタル放送Ｄ１の同調周波数（ｆ＝ｆ６）から行うように変更する（Ｓ２４：シーク動作制御手段）。すなわち、制御ユニット２０は、アナログ放送Ａ１の番組から同一の放送局であるＡＢＣ局からのデジタル放送Ａ１の同一番組へのシーク動作があったことを表わすジャンピング・シークフラグ（ジャンプシーク情報）をＯＮ状態（記憶）にし、アナログ放送Ａ１の番組の同調周波数（ｆ＝ｆ１）から開始されるシーク動作において同調周波数を前述した所定の規則に係らず、デジタル放送Ｄ１の番組の同調周波数（ｆ＝ｆ６）に変化させる。そして、制御ユニット２０はこのデジタル放送Ｄ１の同調周波数（ｆ＝ｆ６）から行なわれるシーク動作により放送番組の受信を確認する（Ｓ２５）。そして、ＡＭチューナ１１から例えば、デジタル放送Ｄ１による放送番組の受信を確認すると（Ｓ２５でＹＥＳ）、受信したデジタル放送Ｄ１の放送番組を音声出力する（Ｓ３１）。
【００３４】
これにより、ユーザ（利用者）は、アナログ放送Ａ１の番組の音声出力がされている状態で、アナログ放送Ａ１の番組を放送する放送局と同一放送局であるＡＢＣ放送局からの同一番組のデジタル放送Ｄ１があるか否かを、ＡＢＣ放送局からの同一番組のアナログ放送の同調周波数（ｆ＝ｆ１）とデジタル放送の同調周波数（ｆ＝ｆ６）とが対応付けられて記憶された記憶部２４のアナログ／デジタル対応テーブル（図４参照）に基づいて判定し、アナログ放送Ａ１の番組を放送する放送局と同一放送局であるＡＢＣ放送局からの同一番組のデジタル放送Ｄ１があると判定されたときに、アナログ放送Ａ１の番組の同調周波数（ｆ＝ｆ１）から開始されるシーク動作において同調周波数（ｆ＝ｆ１）を所定の規則に係らずデジタル放送Ｄ１の番組の同調周波数（ｆ＝ｆ６）に変化させるので、受信されているアナログ放送Ａ１の番組と同一番組をより迅速にデジタル放送Ｄ１にて受信することができるようになる。
【００３５】
そして、デジタル放送Ｄ１による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がデジタル放送Ｄ１により放送されていると判定されるので（Ｓ２１でＮＯ）、制御ユニット２０は、ジャンピング・シークフラグがＯＮ状態にあるか否かを判定する（Ｓ２６：復帰シーク動作制御手段）。すなわち、アナログ放送Ａ１の番組から当該アナログ放送Ａ１と同一の放送局であるＡＢＣ局からのデジタル放送Ｄ１の同一番組へのシーク動作があったのか否かを判定する。この場合、制御ユニット２０は、前述したステップＳ２３においてジャンピング・シークフラグをＯＮ状態にしているので、ジャンピング・シークフラグがＯＮ状態であると判定し（Ｓ２６でＹＥＳ）、当該ジャンピング・シークフラグをＯＦＦ状態にする（Ｓ２７）。
【００３６】
そして、シーク動作を行う同調周波数を現在の同調周波数（ｆ＝ｆ６）から、記憶部２４に当該デジタル放送の同調周波数（ｆ＝ｆ６）に対応付けられて記憶されているアナログ放送Ａ１の同調周波数（ｆ＝ｆ１）に所定周波数間隔Δｆを加算した周波数（ｆ＝ｆ１＋Δｆ）に変化させる（Ｓ２８：復帰シーク動作制御手段）。すなわち、本来、シーク動作は、現在の同調周波数（ｆ＝ｆ６）に所定周波数間隔Δｆを加算した周波数（ｆ＝ｆ６＋Δｆ）からその検索がなされるところ、前述したステップＳ２４においてアナログ放送Ａ１の同調周波数（ｆ＝ｆ１）をデジタル放送Ｄ１の同調周波数（ｆ＝ｆ６）に変化させているので、アナログ放送Ａ１の同調周波数とデジタル放送Ｄ１の同調周波数との間の同調周波数のいずれかにおいて放送される放送番組及び当該番組を放送する放送局をシークすることができなくなってしまうことから、アナログ放送Ａ１の同調周波数（ｆ＝ｆ１）以降の周波数（ｆ＝ｆ１＋Δｆ）に変化させるようにしている。
【００３７】
これにより、ユーザは、シーク動作により受信されたデジタル放送Ｄ１の番組の音声出力がなされている状態で開始されるシーク動作において、同調周波数（ｆ＝ｆ６）をアナログ放送Ａ１の同調周波数（ｆ＝ｆ１）以降の周波数（ｆ＝ｆ１＋Δｆ）に変化させるので、アナログ放送Ａ１の同調周波数（ｆ＝ｆ１）をデジタル放送Ｄ１の同調周波数（ｆ＝ｆ６）に変化させた後に、シーク動作がなされる場合であっても、同調周波数を変化させる前のアナログ放送Ａ１の同調周波数（ｆ＝ｆ１）以降の周波数（ｆ＝ｆ１＋Δｆ）を起点に所定の規則に従って順次放送局をシークするので、アナログ放送Ａ１の同調周波数（ｆ＝ｆ１）とデジタル放送Ｄ１の同調周波数（ｆ＝ｆ６）との間の同調周波数のいずれかにおいて放送される放送番組及び当該番組を放送する放送局をシークすることができなくなってしまうことを防ぐことができるようになっている。
【００３８】
そして、制御ユニット２０は、ステップＳ２８によって変化された周波数（ｆ＝ｆ１＋Δｆ）において放送番組を受信したか否かを判定する（Ｓ３０）。この場合、図２を参照するに、デジタル放送及びアナログ放送のいずれの放送もなされていないので（Ｓ３０でＮＯ）、制御ユニット２０は、所定の規則に従って、検索した周波数（ｆ＝ｆ１＋Δｆ）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、デジタル放送Ｄ２による放送番組の受信を確認すると（Ｓ３０でＹＥＳ）、受信したデジタル放送Ｄ２（同調周波数ｆ＝ｆ２）の放送番組を音声出力する（Ｓ３１）。
【００３９】
そして、デジタル放送Ｄ２による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がデジタル放送Ｄ２により放送されているので（Ｓ２１でＮＯ）、制御ユニット２０は、ジャンピング・シークフラグがＯＮ状態にあるか否かを判定する（Ｓ２６）。この場合、ジャンピング・シークフラグはＯＦＦ状態であるため、ジャンピング・シークフラグがＯＦＦ状態であると判定し（Ｓ２６でＮＯ）、制御ユニット２０は、所定の規則に従って、現在受信しているデジタル放送Ｄ２の同調周波数（ｆ＝ｆ２）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、デジタル放送Ｄ３による放送番組の受信を確認すると（Ｓ３０でＹＥＳ）、受信したデジタル放送Ｄ３（同調周波数ｆ＝ｆ３）の放送番組を音声出力する（Ｓ３１）。
【００４０】
そして、デジタル放送Ｄ３による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がデジタル放送Ｄ３により放送されているので（Ｓ２１でＮＯ）、制御ユニット２０は、ジャンピング・シークフラグがＯＮ状態にあるか否かを判定する（Ｓ２６）。この場合、ジャンピング・シークフラグはＯＦＦ状態であるため、ジャンピング・シークフラグがＯＦＦ状態であると判定し（Ｓ２６でＮＯ）、制御ユニット２０は、所定の規則に従って、現在受信しているデジタル放送Ｄ３の同調周波数（ｆ＝ｆ３）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、アナログ放送Ａ２による放送番組の受信を確認すると（Ｓ３０でＹＥＳ）、受信したアナログ放送Ａ２（同調周波数ｆ＝ｆ４）の放送番組を音声出力する（Ｓ３１）。
【００４１】
そして、アナログ放送Ａ２による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がアナログ放送Ａ２により放送されているので（Ｓ２１でＹＥＳ）、アナログ放送Ａ２に対応するデジタル放送の同調周波数が記憶部２４に記憶されているか否かを判定する（Ｓ２２）。これによって、記憶部２４にＤＥＦ放送局によるアナログ放送Ａ２の同調周波数（ｆ＝ｆ４）に対応付けられた同一の番組を放送するデジタル放送Ｄ２の同調周波数（ｆ＝ｆ２）が記憶されていると判定されると（Ｓ２２でＹＥＳ）、制御ユニット２０は、ジャンピング・シークフラグをＯＮ状態にして（Ｓ２３）、シーク動作を記憶部２４に記憶されたデジタル放送Ｄ２の同調周波数（ｆ＝ｆ２）から行うように変更する（Ｓ２４）。そして、制御ユニット２０はこのデジタル放送Ｄ２の同調周波数（ｆ＝ｆ２）から行なわれるシーク動作により放送番組の受信を確認する（Ｓ２５）。そして、ＡＭチューナ１１から例えば、デジタル放送Ｄ２による放送番組の受信を確認すると（Ｓ２５でＹＥＳ）、受信したデジタル放送Ｄ２の放送番組を音声出力する（Ｓ３１）。
【００４２】
なお、デジタル放送Ｄ２の同調周波数（ｆ＝ｆ２）から行われるシーク動作により放送番組が受信できなかったと判定されたときに（Ｓ２５でＮＯ）、制御ユニット２０は、前述したステップＳ２６の処理へと移行し、ジャンピング・シークフラグがＯＮ状態にあるか否かを確認し（Ｓ２６）、前述した処理を繰り返すこととなる。
【００４３】
そして、デジタル放送Ｄ２による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がデジタル放送Ｄ２により放送されているので（Ｓ２１でＮＯ）、制御ユニット２０は、ジャンピング・シークフラグがＯＮ状態にあるか否かを判定する（Ｓ２６）。この場合、制御ユニット２０は、前述したステップＳ２３においてジャンピング・シークフラグをＯＮ状態にしているので、ジャンピング・シークフラグがＯＮ状態であると判定し（Ｓ２６でＹＥＳ）、当該ジャンピング・シークフラグをＯＦＦ状態にする（Ｓ２７）。
【００４４】
そして、シーク動作を行う同調周波数を現在の同調周波数（ｆ＝ｆ２）から、記憶部２４に当該デジタル放送の同調周波数（ｆ＝ｆ２）に対応付けられて記憶されているアナログ放送Ａ２の同調周波数（ｆ＝ｆ４）に所定周波数間隔Δｆを加算した周波数（ｆ＝ｆ４＋Δｆ）に変化させる（Ｓ２８）。そして、制御ユニット２０は、周波数（ｆ＝ｆ４＋Δｆ）において放送番組を受信したか否かを判定する（Ｓ３０）。この場合、図２を参照するに、デジタル放送及びアナログ放送のいずれの放送もなされていないので（Ｓ３０でＮＯ）、制御ユニット２０は、所定の規則に従って、検索した周波数（ｆ＝ｆ４＋Δｆ）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、アナログ放送Ａ３による放送番組の受信を確認すると（Ｓ３０でＹＥＳ）、受信したアナログ放送Ａ３（同調周波数ｆ＝ｆ５）の放送番組を音声出力する（Ｓ３１）。
【００４５】
そして、アナログ放送Ａ３による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がアナログ放送Ａ３により放送されているので（Ｓ２１でＹＥＳ）、アナログ放送Ａ３に対応するデジタル放送の同調周波数が記憶部２４に記憶されているか否かを判定する（Ｓ２２：判定手段）。この場合、記憶部２４にアナログ放送Ａ３に対応するデジタル放送の同調周波数は記憶されていないので（Ｓ２２でＮＯ）、制御ユニット２０は、ジャンピング・シークフラグがＯＮ状態にあるか否かを判定する（Ｓ２６）。この場合、ジャンピング・シークフラグをＯＦＦ状態であるため、ジャンピング・シークフラグがＯＦＦ状態であると判定し（Ｓ２６でＮＯ）、制御ユニット２０は、所定の規則に従って、現在受信しているアナログ放送Ａ３の同調周波数（ｆ＝ｆ５）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、デジタル放送Ｄ１による放送番組の受信を確認すると（Ｓ３０でＹＥＳ）、受信したデジタル放送Ｄ１（同調周波数ｆ＝ｆ６）の放送番組を音声出力する（Ｓ３１）。
【００４６】
そして、デジタル放送Ｄ１による放送番組の放送がなされている状態（Ｓ２０）で、ユーザがさらにシーク動作を指示すると、制御ユニット２０は、受信される放送番組がアナログ放送であるか否かを確認する（Ｓ２１）。この場合、受信される放送番組がデジタル放送Ｄ１により放送されているので（Ｓ２１でＮＯ）、制御ユニット２０は、ジャンピング・シークフラグがＯＮ状態にあるか否かを判定する（Ｓ２６）。この場合、ジャンピング・シークフラグはＯＦＦ状態であるため、ジャンピング・シークフラグがＯＦＦ状態であると判定し（Ｓ２６でＮＯ）、制御ユニット２０は、所定の規則に従って、現在受信しているデジタル放送Ｄ１の同調周波数（ｆ＝ｆ６）にさらに所定周波数間隔Δｆを加算し（Ｓ２９）、再度放送番組を受信したか否かを判定する。制御ユニット２０は、このようなシーク動作を繰り返し（Ｓ２９、Ｓ３０）、ＡＭチューナ１１から例えば、デジタル放送Ｄ４による放送番組の受信を確認すると（Ｓ３０でＹＥＳ）、受信したデジタル放送Ｄ４（同調周波数ｆ＝ｆ７）の放送番組を音声出力する（Ｓ３１）。
【００４７】
以後、利用者が制御ユニット２０にてシーク動作についての操作を行う毎に、前述したステップＳ２０〜Ｓ３１までの処理を繰り返す。このようなシーク動作は、中波帯域の所定の上限周波数までなされ得る。
【００４８】
上述したようなシーク動作を行うラジオ受信装置１００では、アナログ放送Ａ１の番組の音声出力がされている状態（Ｓ２１でＹＥＳ）で、アナログ放送Ａ１の番組と同一放送局であるＡＢＣ放送局からの同一番組のデジタル放送Ｄ１があるか否かを、ＡＢＣ放送局からの同一番組のアナログ放送の同調周波数（ｆ＝ｆ１）とデジタル放送の同調周波数（ｆ＝ｆ６）とが対応付けられて記憶された記憶部２４のアナログ／デジタル対応テーブル基づいて判定し（Ｓ２２）、アナログ放送Ａ１の番組を放送する放送局と同一放送局であるＡＢＣ放送局からの同一番組のデジタル放送Ｄ１があると判定されたときに（Ｓ２２でＹＥＳ）、アナログ放送Ａ１の番組の同調周波数（ｆ＝ｆ１）から開始されるシーク動作において同調周波数（ｆ＝ｆ１）を所定の規則に係らずデジタル放送Ｄ１の番組の同調周波数（ｆ＝ｆ６）に変化させる（Ｓ２８）ので、本来ならば少なくとも５回以上のシーク動作を行わなければ受信することのできないデジタル放送Ｄ１を１度の操作にて受信することができるようになる。従って、受信されているアナログ放送Ａ１の番組と同一番組をより迅速にデジタル放送Ｄ１にて受信することが可能となり、利用者にとってより好ましいシーク動作が可能となる。
【００４９】
また、上述したようなシーク動作を行うラジオ受信装置１００では、シーク動作により受信されたデジタル放送Ｄ１の番組の音声出力がなされている状態（Ｓ２１でＮＯ）で開始されるシーク動作において、デジタル放送Ｄ１の同調周波数（ｆ＝ｆ６）をアナログ放送Ａ１の同調周波数（ｆ＝ｆ１）以降の周波数（ｆ＝ｆ１＋Δｆ）に変化させる（Ｓ２６でＮＯ、Ｓ２７、Ｓ２８）ことから、アナログ放送Ａ１の同調周波数（ｆ＝ｆ１）をデジタル放送Ｄ１の同調周波数（ｆ＝ｆ６）に変化させた後に、シーク動作がなされる場合であっても、同調周波数を変化させる前のアナログ放送Ａ１の同調周波数（ｆ＝ｆ１）以降の周波数（ｆ＝ｆ１＋Δｆ）を起点に所定の規則に従って順次放送局をシークする（Ｓ２９、Ｓ３０）ので、アナログ放送Ａ１の同調周波数（ｆ＝ｆ１）とデジタル放送Ｄ１の同調周波数（ｆ＝ｆ６）との間の同調周波数のいずれかにおいて放送される放送番組及び当該番組を放送する放送局をシークすることができなくなってしまうことを防ぐことができる。従って、必ずしもアナログ放送受信後にデジタル放送受信を希望するわけではないが、他の放送を探す際に再度シーク動作を行う際に通常のシーク動作ができるので、利用者にとってより好ましいシーク動作が可能となる。
【００５０】
さらに、上述したようなシーク動作を行うラジオ受信装置１００では、アナログ放送Ａ１の番組から当該アナログ放送Ａ１と同一のＡＢＣ放送局からのデジタル放送Ｄ１の同一番組へのシーク動作があったことを表わすジャンピング・シークフラグがＯＮ状態のときに（Ｓ２６でＹＥＳ）、受信されたデジタル放送Ｄ１の音声出力がなされている状態で開始されるシーク動作において、所定の規則に従って同調周波数（ｆ＝ｆ６）をアナログ放送Ａ１の同調周波数（ｆ＝ｆ１）以降の周波数（ｆ＝ｆ１＋Δｆ）に変化させるので（Ｓ２８）ジャンピング・シークフラグがＯＮ状態にある（ジャンプシーク情報が記憶されている）ときにのみ、アナログ放送Ａ１の同調周波数（ｆ＝ｆ１）とデジタル放送Ｄ１の同調周波数（ｆ＝ｆ６）との間の同調周波数のいずれかにおいて放送される放送番組及び当該番組を放送する放送局をシークすることができなくなってしまうことを防ぐことができる。従って、ジャンピング・シークフラグがＯＮ状態のときにのみ、他の放送を探す際に再度シーク動作を行う際に通常のシーク動作ができるので、利用者にとってより好ましいシーク動作が可能となる。
【００５１】
なお、ステップＳ２８における処理では、シーク動作を行う同調周波数を現在の同調周波数（ｆ＝ｆ６）から、記憶部２４に当該デジタル放送Ｄ１の同調周波数（ｆ＝ｆ６）に対応付けられて記憶されているアナログ放送Ａ１の同調周波数（ｆ＝ｆ１）に所定周波数間隔Δｆを加算した周波数（ｆ＝ｆ１＋Δｆ）に変化させるようにしたが、例えば、ステップＳ２３においてアナログ放送Ａ１の同調周波数（ｆ＝ｆ１）をデジタル放送Ｄ１の番組の同調周波数（ｆ＝ｆ６）に変化させられたデジタル放送Ｄ１の番組の同調周波数（ｆ＝ｆ６）をスキップしてシーク動作を行わせるようにしてもよい。これにより、一度シークされたデジタル放送の同調周波数を検索することなく、他の放送局を検索することができるので、この場合においても利用者にとってより好ましいシーク動作が可能となる。
【００５２】
前述したラジオ受信装置１００でのシーク動作は、同調周波数を順次上昇させていくものであったが、順次下降させていくものであっても勿論よい。例えば、アナログ放送Ａ２による放送番組の放送がなされている状態（Ｓ２０）で、ユーザがさらにシーク動作を指示すると、制御ユニット２０は、アナログ放送Ａ２に対応するデジタル放送の同調周波数が記憶部２４に記憶されているか否かを判定する（Ｓ２１でＹＥＳ、Ｓ２２）。これによって、記憶部２４にＤＥＦ放送局によるアナログ放送Ａ２の同調周波数（ｆ＝ｆ４）に対応付けられた同一の番組を放送するデジタル放送Ｄ２の同調周波数（ｆ＝ｆ２）が記憶されていると判定されると（Ｓ２２でＹＥＳ）、制御ユニット２０は、ジャンピング・シークフラグをＯＮ状態にして（Ｓ２３）、シーク動作を記憶部２４に記憶されたデジタル放送Ｄ２の同調周波数（ｆ＝ｆ２）から行うように変更し（Ｓ２４）受信したデジタル放送Ｄ２の放送番組を音声出力する（Ｓ２５でＹＥＳ、Ｓ３１）。このように同調周波数を順次下降させていく場合であっても、前述したような処理がなされる。
【００５３】
前記シーク動作では、同調周波数を、同一の放送局からの同一の番組についてのアナログ放送とデジタル放送との周波数間隔Δｆずつ順次ステップ的に変化させるものであったが、同調周波数を変化させるその周波数間隔は、放送局からなされる放送の最小の周波数間隔以下であれば特に限定されない。
【００５４】
表示ユニット２２に表示される放送情報は、放送局名及び番組名だけに限られず、放送番組についての事項であれば、例えば、その放送内容の説明、放送時間帯等、他の事項を含めるものであっても、当該他の事項だけであってもよい。
【産業上の利用可能性】
【００５５】
以上、説明したように、本発明は、デジタル放送及びアナログ放送の双方の受信が可能なラジオ受信装置において、利用者にとってより好ましいシーク動作が可能になるという効果を有し、デジタル放送及びアナログ放送の双方が受信可能であって、同調周波数を順次変えて受信される放送番組を探すシーク動作を行うラジオ受信装置として有用である。
【符号の説明】
【００５６】
１１  ＡＭチューナ
１２  復調回路
１３  デジタル放送処理ユニット
１４  アナログ放送処理ユニット
１５  出力回路
１６  スピーカ
２０  制御ユニット
２１  操作ユニット
２２  表示ユニット
２３  放送情報抽出ユニット
２４  記憶部
１００  ラジオ受信装置
【図１】
2014086888.tif 000003
【図２】
2014086888.tif 000004
【図３】
2014086888.tif 000005
【図４】
2014086888.tif 000006
【図５】
2014086888.tif 000007